(57)【要約】【課題】予め準備した画像を音声通信に先立って送信することができる携帯電話機を提供すること。【解決手段】この携帯電話機１０は、発呼指示の入力があった場合に、発呼先の電話番号が予め画像を送信するように設定されている特定の着信者番号かどうかを判断する送信先判断部１０２と、音声通信部１０３と、データ通信部１０４と、を備え、送信先判断部１０２の判断結果が特定の着信者番号でない旨の場合には、音声通信部１０３が発呼先の電話番号に対して発呼処理を行い、送信先判断部１０２の判断結果が特定の着信者番号である旨の場合には、データ通信部１０４が発呼先の電話番号に対応する携帯電話機３０に対して通信処理を行って予め格納されている送信用情報を送信し、当該通信処理が終了した後、音声通信部１０３が発呼先の電話番号に対して発呼処理を行う。【選択図】  図１
2005039431.tif 000002
【特許請求の範囲】
【請求項１】
発呼指示の入力があった場合に、発呼先の電話番号が予め画像を送信するように設定されている特定の着信者番号かどうかを判断する送信先判断手段と、
音声通信を行うための所定の発呼処理を行う音声通信手段と、
データ通信を行うための所定の通信処理を行うデータ通信手段と、を備え、
前記送信先判断手段の判断結果が前記特定の着信者番号でない旨の場合には、前記音声通信手段が前記発呼先の電話番号に対して発呼処理を行い、
前記送信先判断手段の判断結果が前記特定の着信者番号である旨の場合には、前記データ通信手段が前記発呼先の電話番号に対応する情報通信端末に対して通信処理を開始し予め格納されている送信用情報を送信し、当該通信処理を開始した後、前記音声通信手段が前記発呼先の電話番号に対して発呼処理を行う、情報通信端末。
【請求項２】
前記音声通信手段は、回線交換網を介して音声通信を行うための所定の発呼処理を行い、
前記データ通信手段は、パケット網を介してデータ通信を行うための所定の通信処理を行い、
前記送信先判断手段の判断結果が前記特定の着信者番号である旨の場合には、前記データ通信手段が前記発呼先の電話番号に対応する情報通信端末に対して通信処理を行って予め格納されている送信用情報を送信し、当該通信処理が終了した後、前記音声通信手段が前記発呼先の電話番号に対して発呼処理を行う、請求項１に記載の情報通信端末。
【請求項３】
電話番号と送信用情報とが関連付けられて格納されている格納手段を備え、
前記データ通信手段は、前記特定の着信者番号に対応する電話番号に関連付けられた送信用情報を前記格納手段から抽出し、当該抽出した送信用情報を送信するように通信処理を行う、請求項１又は２に記載の情報通信端末。
【請求項４】
発呼指示の入力があった場合に、発呼先の電話番号が予め画像を送信するように設定されている特定の着信者番号かどうかを判断する送信先判断手段と、
回線交換網を介しての音声通信を行うための所定の発呼処理を行う音声通信手段とを含む情報通信端末と、
パケット網を介してのデータ通信を行うための所定の通信処理を行うデータ通信手段と、
電話番号と送信情報とが関連付けられて格納されている格納手段とを含む画像転送サーバと、
を備え、
前記送信先判断手段の判断結果が前記特定の着信者番号でない旨の場合には、前記音声通信手段が前記発呼先の電話番号に対して発呼処理を行い、
前記送信先判断手段の判断結果が前記特定の着信者番号である旨の場合には、前記データ通信手段が前記発呼先の電話番号に対応する情報通信端末に対して通信処理を行って前記特定の着信者番号に対応する電話番号に関連付けられた送信情報を送信し、当該通信処理が終了した後、前記音声通信手段が前記発呼先の電話番号に対して発呼処理を行う、情報通信システム。
【請求項５】
発呼指示の入力があった場合に、発呼先の電話番号が予め画像を送信するように設定されている特定の着信者番号かどうかを判断する送信先判断手段と、
音声通信を行うための所定の発呼処理を行う音声通信手段とを含む情報通信端末と、
データ通信を行うための所定の通信処理を行うデータ通信手段と、
電話番号と送信情報とが関連付けられて格納されている格納手段とを含む画像転送サーバと、
を備え、
前記送信先判断手段の判断結果が前記特定の着信者番号でない旨の場合には、前記音声通信手段が前記発呼先の電話番号に対して発呼処理を行い、
前記送信先判断手段の判断結果が前記特定の着信者番号である旨の場合には、前記データ通信手段が前記発呼先の電話番号に対応する情報通信端末に対して通信処理を開始して前記特定の着信者番号に対応する電話番号に関連付けられた送信情報を送信し、当該通信処理を開始した後、前記音声通信手段が前記発呼先の電話番号に対して発呼処理を行う、情報通信システム。
【発明の詳細な説明】
【０００１】
【発明の属する技術分野】
本発明は、情報通信端末及び情報通信システムに関するものである。
【０００２】
【従来の技術】
発呼または着呼の接続処理中に発信者側の画像を取り込んで送信する画像伝送通信端末が提案されている（例えば、下記特許文献１参照。）。
【０００３】
【特許文献１】
特開２００１−３０８９８３号公報
【０００４】
【発明が解決しようとする課題】
従来の技術は、発呼または着呼の接続処理中に発信者側の画像を取り込んで送信するものであるから、例えば、予めユーザが準備した画像を送信することができない。
【０００５】
そこで本発明では、予め準備した画像を音声通信に先立って送信することができる情報通信端末及び情報通信システムを提供することを課題とする。
【０００６】
【課題を解決するための手段】
本発明の情報通信端末は、発呼指示の入力があった場合に、発呼先の電話番号が予め画像を送信するように設定されている特定の着信者番号かどうかを判断する送信先判断手段と、音声通信を行うための所定の発呼処理を行う音声通信手段と、データ通信を行うための所定の通信処理を行うデータ通信手段と、を備え、送信先判断手段の判断結果が特定の着信者番号でない旨の場合には、音声通信手段が発呼先の電話番号に対して発呼処理を行い、送信先判断手段の判断結果が特定の着信者番号である旨の場合には、データ通信手段が発呼先の電話番号に対応する情報通信端末に対して通信処理を開始して予め格納されている送信用情報を送信し、当該通信処理を開始した後、音声通信手段が発呼先の電話番号に対して発呼処理を行う。
【０００７】
本発明の情報通信端末によれば、発呼先の電話番号が予め画像を送信するように設定されている特定の着信者番号である場合に、予め格納されている送信用情報を送信し、その送信用情報の送信が開始された後に発呼処理を行うので、通話開始時に合わせて相手先の通信端末に送信用情報を送ることができる。
【０００８】
本発明の情報通信端末は、発呼指示の入力があった場合に、発呼先の電話番号が予め画像を送信するように設定されている特定の着信者番号かどうかを判断する送信先判断手段と、回線交換網を介しての音声通信を行うための所定の発呼処理を行う音声通信手段と、パケット網を介してのデータ通信を行うための所定の通信処理を行うデータ通信手段と、を備え、送信先判断手段の判断結果が特定の着信者番号でない旨の場合には、音声通信手段が発呼先の電話番号に対して発呼処理を行い、送信先判断手段の判断結果が特定の着信者番号である旨の場合には、データ通信手段が発呼先の電話番号に対応する情報通信端末に対して通信処理を行って予め格納されている送信用情報を送信し、当該通信処理が終了した後、音声通信手段が発呼先の電話番号に対して発呼処理を行う。
【０００９】
本発明の情報通信端末によれば、発呼先の電話番号が予め画像を送信するように設定されている特定の着信者番号である場合に、予め格納されている送信用情報を送信し、その送信用情報が送信し終わった後に発呼処理を行うので、通話開始前に相手先の通信端末に送信用情報を送っておくことができる。
【００１０】
また本発明の情報通信端末では、電話番号と送信用情報とが関連付けられて格納されている格納手段を備え、データ通信手段は、特定の着信者番号に対応する電話番号に関連付けられた送信用情報を格納手段から抽出し、当該抽出した送信用情報を送信するように通信処理を行うことも好ましい。特定の着信者番号に対応する電話番号に関連付けられた送信用情報を格納手段から抽出して送信するので、各電話番号に関連付けられた送信用情報を予め想定されている送信先へ送信することができる。
【００１１】
本発明の情報通信システムは、発呼指示の入力があった場合に、発呼先の電話番号が予め画像を送信するように設定されている特定の着信者番号かどうかを判断する送信先判断手段と、回線交換網を介しての音声通信を行うための所定の発呼処理を行う音声通信手段とを含む情報通信端末と、パケット網を介してのデータ通信を行うための所定の通信処理を行うデータ通信手段と、電話番号と送信情報とが関連付けられて格納されている格納手段とを含む画像転送サーバと、を備え、送信先判断手段の判断結果が特定の着信者番号でない旨の場合には、音声通信手段が発呼先の電話番号に対して発呼処理を行い、送信先判断手段の判断結果が特定の着信者番号である旨の場合には、データ通信手段が発呼先の電話番号に対応する情報通信端末に対して通信処理を行って特定の着信者番号に対応する電話番号に関連付けられた送信情報を送信し、当該通信処理が終了した後、音声通信手段が発呼先の電話番号に対して発呼処理を行う。
【００１２】
本発明の情報通信システムによれば、発呼先の電話番号が予め画像を送信するように設定されている特定の着信者番号である場合に、予め格納されている送信用情報を送信し、その送信用情報が送信し終わった後に発呼処理を行うので、通話開始前に相手先の通信端末に送信用情報を送っておくことができる。
【００１３】
本発明の情報通信システムは、発呼指示の入力があった場合に、発呼先の電話番号が予め画像を送信するように設定されている特定の着信者番号かどうかを判断する送信先判断手段と、音声通信を行うための所定の発呼処理を行う音声通信手段とを含む情報通信端末と、データ通信を行うための所定の通信処理を行うデータ通信手段と、電話番号と送信情報とが関連付けられて格納されている格納手段とを含む画像転送サーバと、を備え、送信先判断手段の判断結果が特定の着信者番号でない旨の場合には、音声通信手段が発呼先の電話番号に対して発呼処理を行い、送信先判断手段の判断結果が特定の着信者番号である旨の場合には、データ通信手段が発呼先の電話番号に対応する情報通信端末に対して通信処理を開始して特定の着信者番号に対応する電話番号に関連付けられた送信情報を送信し、当該通信処理を開始した後、音声通信手段が発呼先の電話番号に対して発呼処理を行う。
【００１４】
本発明の情報通信システムによれば、発呼先の電話番号が予め画像を送信するように設定されている特定の着信者番号である場合に、予め格納されている送信用情報を送信し、その送信用情報の送信が開始された後に発呼処理を行うので、通話開始時に合わせて相手先の通信端末に送信用情報を送ることができる。
【００１５】
【発明の実施の形態】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１６】
（第一実施形態）
本発明の第一実施形態である携帯電話機１０（情報通信端末）について図１を用いて説明する。図１は携帯電話機１０を説明するための図である。本実施形態の携帯電話機１０は、ネットワーク４０に接続されていて、他の携帯電話機３０と通信可能なように構成されている。ネットワーク４０は、移動体通信キャリアが運用するネットワークである。ネットワーク４０は、図示しない基地局、基地局制御装置、地域レジスタ、交換機、ホームレジスタ、関門交換機、ゲートウェイ装置といった構成要素を含む。本実施形態の場合、ネットワーク４０は、回線交換網とパケット網とを含むネットワークで構成されていても、ＡＴＭ（ａｓｙｎｃｈｒｏｎｏｕｓ  ｔｒａｎｓｆｅｒ  ｍｏｄｅ）網を含むネットワークで構成されていてもよい。携帯電話機１０及び携帯電話機３０は、音声通信とデータ通信とを行うことが可能な携帯電話機である。また、携帯電話機１０及び携帯電話機３０はテレビ電話端末であってもよい。
【００１７】
携帯電話機１０について説明する。携帯電話機１０は、機能的な構成要素として、入力部１０１と、送信先判断部１０２（送信先判断手段）と、音声通信部１０３（音声通信手段）と、データ通信部１０４（データ通信手段）と、送信情報格納部１５０（格納手段）とを備える。引き続いて、各構成要素について詳細に説明する。
【００１８】
入力部１０１は、携帯電話機１０のユーザが入力する発呼指示といった情報を受け付けて、送信先判断部１０２に出力する部分である。入力部１０１は、操作キーやダイヤルといった手段を用いて入力される電話番号等の情報を電気信号に変換して送信先判断部１０２に出力する。
【００１９】
送信先判断部１０２は、発呼指示の入力があった場合に、発呼先の電話番号が予め画像を送信するように設定されている特定の着信者番号かどうかを判断する部分である。より具体的には、入力部１０１から出力される電話番号と、送信情報格納部１５０に格納されている情報とに基づいて、出力された電話番号に関連付けられた送信用情報があるかどうかを判断する。送信情報格納部１５０に格納されている情報の例を図２に示す。図２に示す例に拠れば、送信情報格納部１５０には、「回線番号」と「送信用情報」とが関連付けられて格納されている。送信先判断部１０２は、入力部１０１から出力される電話番号と送信情報格納部１５０に格納されている「回線番号」とが合致した場合には、この電話番号が予め画像を送信するように設定されている特定の着信者番号であると判断する。
【００２０】
送信先判断部１０２は、発呼先の電話番号が予め画像を送信するように設定されている特定の着信者番号であると判断した場合には、データ通信部１０４にその電話番号と、対応する情報を送信する指示情報とを出力する。送信先判断部１０２は、発呼先の電話番号が予め画像を送信するように設定されている特定の着信者番号ではないと判断した場合には、音声通信部１０３にその電話番号と、音声通信を開始する指示情報とを出力する。
【００２１】
音声通信部１０３は、ネットワーク４０を介して音声通信を行うための所定の発呼処理を行う部分である。より具体的には、音声通信部１０３は送信先判断部１０２から出力される指示情報に基づいて、送信先判断部１０２から出力される電話番号に対して発呼処理を行う。
【００２２】
データ通信部１０４は、ネットワーク４０を介してデータ通信を行うための所定の通信処理を行う部分である。より具体的には、データ通信部１０４は送信先判断部１０２から出力される指示情報に基づいて、送信先判断部１０２から出力される電話番号で特定される携帯電話機に対して通信処理を行う。
【００２３】
引き続いて、本実施形態の携帯電話機１０の動作について、図３に示すシーケンス図を用いて説明する。入力部１０１に携帯電話機１０のユーザが発呼指示を入力し、入力部１０１がその発呼指示を受け付ける（ステップＳ０１）。この発呼指示には、発呼先である携帯電話機３０の電話番号が含まれる。入力部１０１は、この発呼指示を送信先判断部１０２に出力する（ステップＳ０２）。
【００２４】
送信先判断部１０２は、この発呼指示に含まれる電話番号が送信情報格納部１５０に登録されて格納されているかを判断する（ステップＳ０３）。送信先判断部１０２はこの電話番号が登録されていないと判断すると、後述するステップＳ０９の処理を行う。一方、送信先判断部１０２はこの電話番号が登録されていると判断すると、データ送信を指示する指示情報を電話番号と共にデータ通信部１０４に出力する（ステップＳ０４）。
【００２５】
データ通信部１０４は、受け取った電話番号に基づいて、送信情報格納部１５０に格納されている送信用情報から対応する送信用情報を選択する（ステップＳ０５）。データ通信部１０４は、この選択した送信用情報を、受け取った電話番号に対応する携帯電話機３０に送信するように、ネットワーク４０に対して所定の通信処理を行う（ステップＳ０６）。この通信処理によって送信用情報が携帯電話機３０に送信され、携帯電話機３０では送信用情報が表示される（ステップＳ０７）。データ通信部１０４は、送信用情報を送信したかどうかを判断する（ステップＳ０８）。送信用情報を送信すると、データ通信部１０４は送信完了通知を送信先判断部１０２に出力する（ステップＳ０９）。
【００２６】
送信先判断部１０２は、データ通信部１０４から送信完了通知を受け取ると、音声通信部１０３に対して、音声通信を開始するように指示する指示情報と、ステップＳ０２で受け取った電話番号とを出力する（ステップＳ１０）。音声通信部１０３はこの指示情報及び電話番号に基づいて発呼処理を行い、携帯電話機３０との間で呼接続を確立する（ステップＳ１１）。
【００２７】
引き続いて、本実施形態の携帯電話機１０の別の動作について、図４に示すシーケンス図を用いて説明する。ここでは、携帯電話機１０及びネットワーク４０は、音声通信とデータ通信とを同時に行うことが可能なように構成されている。入力部１０１に携帯電話機１０のユーザが発呼指示を入力し、入力部１０１がその発呼指示を受け付ける（ステップＳ１２）。この発呼指示には、発呼先である携帯電話機３０の電話番号が含まれる。入力部１０１は、この発呼指示を送信先判断部１０２に出力する（ステップＳ１３）。
【００２８】
送信先判断部１０２は、この発呼指示に含まれる電話番号が送信情報格納部１５０に登録されて格納されているかを判断する（ステップＳ１４）。送信先判断部１０２はこの電話番号が登録されていないと判断すると、後述するステップＳ１８の処理を行う。一方、送信先判断部１０２はこの電話番号が登録されていると判断すると、データ送信を指示する指示情報を電話番号と共にデータ通信部１０４に出力する（ステップＳ１５）。
【００２９】
データ通信部１０４は、受け取った電話番号に基づいて、送信情報格納部１５０に格納されている送信用情報から対応する送信用情報を選択する（ステップＳ１６）。データ通信部１０４は、この選択した送信用情報を受け取った電話番号に対応する携帯電話機３０に送信するように、ネットワーク４０に対して所定の通信処理を行う（ステップＳ１７）。この通信処理によって送信用情報が携帯電話機３０に送信され、携帯電話機３０では送信用情報が表示される（ステップＳ１８）。
【００３０】
送信先判断部１０２は、音声通信部１０３に対して、音声通信を開始するように指示する指示情報と、ステップＳ１２で受け取った電話番号とを出力する（ステップＳ１９）。音声通信部１０３はこの指示情報及び電話番号に基づいて発呼処理を行い、携帯電話機３０との間で呼接続を確立する（ステップＳ２０）。
【００３１】
（第二実施形態）
本発明の第二実施形態である情報通信システム５ａについて図５を用いて説明する。図５は、携帯電話機５０と、携帯電話機３０と、画像転送サーバ２０と、ネットワーク４０とからなる情報通信システム５ａの構成を示した図である。本実施形態の携帯電話機５０は、ネットワーク４０に接続されていて、他の携帯電話機３０と通信可能なように構成されている。ネットワーク４０は、移動体通信キャリアが運用するネットワークである。ネットワーク４０は、図示しない基地局、基地局制御装置、地域レジスタ、交換機、ホームレジスタ、関門交換機、ゲートウェイ装置といった構成要素を含む。本実施形態の場合、ネットワーク４０は、回線交換網とパケット網とを含むネットワークで構成されていても、ＡＴＭ（ａｓｙｎｃｈｒｏｎｏｕｓ  ｔｒａｎｓｆｅｒ  ｍｏｄｅ）網を含むネットワークで構成されていてもよい。携帯電話機５０及び携帯電話機３０は、音声通信とデータ通信とを行うことが可能な携帯電話機である。また、携帯電話機５０及び携帯電話機３０はテレビ電話端末であってもよい。
【００３２】
携帯電話機５０について説明する。携帯電話機５０は、機能的な構成要素として、入力部１０１と、送信先判断部５０２（送信先判断手段）と、音声通信部１０３（音声通信手段）と、データ通信部５０４（データ通信手段）と、発呼先情報格納部５５０とを備える。引き続いて、各構成要素について詳細に説明する。尚、入力部１０１及び音声通信部１０３は第一実施形態の場合と同様であるので説明を省略する。
【００３３】
送信先判断部５０２は、発呼指示の入力があった場合に、発呼先の電話番号が予め画像を送信するように設定されている特定の着信者番号かどうかを判断する部分である。より具体的には、入力部１０１から出力される電話番号と、発呼先情報格納部５５０に格納されている情報とに基づいて、出力された電話番号が情報送信が必要であると登録されているものであるかどうかを判断する。発呼先情報格納部５５０に格納されている情報の例を図６に示す。図６に示す例に拠れば、発呼先情報格納部５５０には、「回線番号」と「情報送信ステータス」とが関連付けられて格納されている。送信先判断部５０２は、入力部１０１から出力される電話番号と発呼先情報格納部５５０に格納されている「回線番号」とが合致し、その「回線番号」に関連付けられている「情報送信ステータス」が「要送信」である場合には、この電話番号が予め画像を送信するように設定されている特定の着信者番号であると判断する。
【００３４】
送信先判断部５０２は、発呼先の電話番号が予め画像を送信するように設定されている特定の着信者番号であると判断した場合には、データ通信部５０４にその電話番号と、対応する情報を送信する指示情報とを出力する。送信先判断部５０２は、発呼先の電話番号が予め画像を送信するように設定されている特定の着信者番号ではないと判断した場合には、音声通信部１０３にその電話番号と、音声通信を開始する指示情報とを出力する。
【００３５】
データ通信部５０４は、ネットワーク４０を介してデータ通信を行うための所定の通信処理を行う部分である。より具体的には、データ通信部１０４は送信先判断部５０２から出力される指示情報に基づいて、送信先判断部５０２から出力される電話番号で特定される携帯電話機に対して通信処理を行うように指示する指示情報を、画像転送サーバ２０に送信する。
【００３６】
画像転送サーバ２０について説明する。画像転送サーバ２０はネットワーク４０に接続されているコンピュータ（若しくはコンピュータシステム）である。画像転送サーバ２０は、物理的には、ＣＰＵ、メモリ、通信装置、入出力装置といったものから構成される。画像転送サーバ２０は機能的な構成要素として、送受信部２０１（データ通信手段）と、送信情報選択部２０２と、送信情報格納部２５０（格納手段）とを含む。引き続いて、各構成要素について詳細に説明する。
【００３７】
送受信部２０１は、携帯電話機５０から送信される、携帯電話機５０に入力された電話番号で特定される携帯電話機に対して通信処理を行うように指示する指示情報を受信する部分である。この指示情報には対象となる携帯電話機の電話番号が含まれる。送受信部２０１は、受信した電話番号を送信情報選択部２０２に出力する。送受信部２０１は、この電話番号の出力に応じて送信情報選択部２０２が出力する送信用情報を、対応する電話番号で特定される携帯電話機に送信する。
【００３８】
送信情報選択部２０２は、送受信部２０１から出力される電話番号に基づいて、送信情報格納部２５０に格納されている送信用情報を選択する部分である。送信情報格納部２５０には、「着信者番号」「発信者番号」「送信情報」が関連付けられて格納されている。送信情報格納部２５０に格納されている情報の例を図７に示す。送信情報選択部２０２は選択した送信用情報を送受信部２０１に出力する。
【００３９】
引き続いて、本実施形態の情報通信システム５ａの動作について、図８に示すシーケンス図を用いて説明する。携帯電話機５０の入力部１０１にユーザが発呼指示を入力し、入力部１０１がその発呼指示を受け付ける（ステップＳ２１）。この発呼指示には、発呼先である携帯電話機３０の電話番号が含まれる。入力部１０１は、この発呼指示を送信先判断部５０２に出力する（ステップＳ２２）。
【００４０】
送信先判断部５０２は、この発呼指示に含まれる電話番号が発呼先情報格納部５５０に登録されて格納されているかを判断する（ステップＳ２３）。送信先判断部５０２はこの電話番号が登録されていないと判断すると、後述するステップＳ３０の処理を行う。一方、送信先判断部５０２はこの電話番号が登録されていると判断すると、データ送信を指示する指示情報を電話番号と共にデータ通信部５０４に出力する（ステップＳ２４）。
【００４１】
データ通信部５０４は、受け取った電話番号を含むデータ送信指示を画像転送サーバ２０に送信する（ステップＳ２５）。画像転送サーバ２０の送信情報選択部２０２は、このデータ送信指示に含まれる電話番号に基づいて、送信情報格納部２５０に格納されている送信用情報から対応する送信用情報を選択する（ステップＳ２６）。画像転送サーバ２０の送受信部２０１は、この選択した送信用情報を携帯電話機３０に送信する（ステップＳ２７）。従って、送信用情報が携帯電話機３０に送信され、携帯電話機３０では送信用情報が表示される。画像転送サーバ２０の送受信部２０１は、送信用情報の送信完了通知を携帯電話機５０に送信する（ステップＳ２８）。携帯電話機５０のデータ通信部５０４は送信完了通知を受信し、送信先判断部５０２に出力する（ステップＳ２９）。
【００４２】
送信先判断部５０２は、データ通信部５０４から送信完了通知を受け取ると、音声通信部１０３に対して、音声通信を開始するように指示する指示情報と、ステップＳ２２で受け取った電話番号とを出力する（ステップＳ３０）。音声通信部１０３はこの指示情報及び電話番号に基づいて発呼処理を行い、携帯電話機３０との間で呼接続を確立する（ステップＳ１１）。
【００４３】
引き続いて、本実施形態の携帯電話機５０の別の動作について、図９に示すシーケンス図を用いて説明する。ここでは、携帯電話機５０及びネットワーク４０は、音声通信とデータ通信とを同時に行うことが可能なように構成されている。携帯電話機５０の入力部１０１にユーザが発呼指示を入力し、入力部１０１がその発呼指示を受け付ける（ステップＳ４１）。この発呼指示には、発呼先である携帯電話機３０の電話番号が含まれる。入力部１０１は、この発呼指示を送信先判断部５０２に出力する（ステップＳ４２）。
【００４４】
送信先判断部５０２は、この発呼指示に含まれる電話番号が発呼先情報格納部５５０に登録されて格納されているかを判断する（ステップＳ４３）。送信先判断部５０２はこの電話番号が登録されていないと判断すると、後述するステップＳ４８の処理を行う。一方、送信先判断部５０２はこの電話番号が登録されていると判断すると、データ送信を指示する指示情報を電話番号と共にデータ通信部５０４に出力する（ステップＳ４４）。
【００４５】
データ通信部５０４は、受け取った電話番号を含むデータ送信指示を画像転送サーバ２０に送信する（ステップＳ４５）。画像転送サーバ２０の送信情報選択部２０２は、このデータ送信指示に含まれる電話番号に基づいて、送信情報格納部２５０に格納されている送信用情報から対応する送信用情報を選択する（ステップＳ４６）。画像転送サーバ２０の送受信部２０１は、この選択した送信用情報を携帯電話機３０に送信する（ステップＳ４７）。従って、送信用情報が携帯電話機３０に送信され、携帯電話機３０では送信用情報が表示される。
【００４６】
送信先判断部５０２は、音声通信部１０３に対して、音声通信を開始するように指示する指示情報と、ステップＳ２２で受け取った電話番号とを出力する（ステップＳ４８）。音声通信部１０３はこの指示情報及び電話番号に基づいて発呼処理を行い、携帯電話機３０との間で呼接続を確立する（ステップＳ４９）。
【００４７】
【発明の効果】
本発明によれば、発呼先の電話番号が予め画像を送信するように設定されている特定の着信者番号である場合に、予め格納されている送信用情報を送信し、その送信用情報が送信し終わった後に発呼処理を行うので、通話開始前に相手先の通信端末に送信用情報を送っておくことができる。従って本発明の目的とする、予め準備した画像を音声通信に先立って送信することができる情報通信端末及び情報通信システムを提供することができた。
【図面の簡単な説明】
【図１】本発明の第一実施形態である携帯電話機を説明するための図である。
【図２】図１の送信情報格納部に格納されている情報の例を示す図である。
【図３】第一実施形態の携帯電話機の動作を説明するための図である。
【図４】第一実施形態の携帯電話機の動作を説明するための図である。
【図５】本発明の第二実施形態である情報通信システムを説明するための図である。
【図６】図５の発呼先情報格納部に格納されている情報の例を示す図である。
【図７】図５の送信情報格納部に格納されている情報の例を示す図である。
【図８】第二実施形態の情報通信システムの動作を説明するための図である。
【図９】第二実施形態の情報通信システムの動作を説明するための図である。
【符号の説明】
１０…携帯電話機、１０１…入力部、１０２…送信先判断部、１０３…音声通信部、１０４…データ通信部、１５０…送信情報格納部、３０…携帯電話機、４０…ネットワーク。
【図１】
2005039431.tif 000003
【図２】
2005039431.tif 000004
【図３】
2005039431.tif 000005
【図４】
2005039431.tif 000006
【図５】
2005039431.tif 000007
【図６】
2005039431.tif 000008
【図７】
2005039431.tif 000009
【図８】
2005039431.tif 000010
【図９】
2005039431.tif 000011